(57)【要約】【課題】  セキュリティレベルを向上することが可能な作動制御装置を提供すること。【解決手段】    電子キーシステム１は、有効通信端末（携帯機２Ａ，２Ｂ）が利用されたときに扉アンロック制御装置４により金庫の扉のアンロックを許可する。扉アンロック制御装置４のマイコン４５のメモリ４５ａには、有効通信端末毎に個別に設定されたＩＤコードである有効ＩＤコードと同一のＩＤコードが記憶されている。受信手段（受信アンテナ４３、受信回路４４）は、携帯機２Ａ〜２Ｃから送信されてくる信号を受信する。マイコン４５は、メモリ４５ａに記憶されているＩＤコードと一致する有効ＩＤコードを含むＩＤコード信号が受信手段により受信されたとき、有効通信端末が利用された旨を認識して金庫の扉のアンロックを許可する。マイコン４５は、複数の有効通信端末の各々がいずれも利用された旨を認識したとき、金庫の扉のアンロックを許可する。【選択図】      図１
2006233659.tif 000002
【特許請求の範囲】
【請求項１】
対応する通信端末である有効通信端末が利用されたときに作動制御装置により制御対象の作動を許可する電子キーシステムに供され、有効通信端末毎に個別に設定されたＩＤコードである有効ＩＤコードと同一のＩＤコードを記憶する記憶手段と、通信端末から送信されてくる信号を受信する受信手段と、前記記憶手段に記憶されているＩＤコードと一致する有効ＩＤコードを含む信号が前記受信手段により受信されたとき、有効通信端末が利用された旨を認識して制御対象の作動を許可する制御手段とを備えた作動制御装置において、
前記制御手段は、複数の有効通信端末の各々がいずれも利用された旨を認識したとき、制御対象の作動を許可することを特徴とする作動制御装置。
【請求項２】
請求項１に記載の作動制御装置において、
前記制御手段は、予め定められた所定の順序に従って複数の有効通信端末の各々がいずれも利用された旨を認識したとき、制御対象の作動を許可することを特徴とする作動制御装置。
【請求項３】
請求項１又は請求項２に記載の作動制御装置において、
前記制御手段は、予め定められた所定の個数の有効通信端末の各々がいずれも利用された旨を認識したとき、制御対象の作動を許可することを特徴とする作動制御装置。
【請求項４】
請求項１〜請求項３のいずれか１項に記載の作動制御装置において、
前記制御手段は、複数の有効通信端末の１つが利用された旨を認識して以後、予め定められた所定の時間が経過するまでの期間内に残りの全ての有効通信端末がいずれも利用された旨を認識したとき、制御対象の作動を許可することを特徴とする作動制御装置。
【請求項５】
請求項１〜請求項３のいずれか１項に記載の作動制御装置において、
前記制御手段は、複数の有効通信端末の１つが利用された旨を認識して以後、予め定められた所定の時間が経過するまでの期間内に利用された有効通信端末の個数が、予め定められた所定の個数である旨を認識したときに限り、制御対象の作動を許可することを特徴とする作動制御装置。
【請求項６】
請求項１〜請求項５のいずれか１項に記載の作動制御装置において、
前記制御手段は、有効ＩＤコードとは別のＩＤコードである無効ＩＤコードを含む信号が前記受信手段により受信されたとき、有効通信端末とは別の通信端末である無効通信端末が利用された旨を認識して制御対象の作動を禁止することを特徴とする作動制御装置。
【請求項７】
請求項６に記載の作動制御装置において、
前記制御手段は、有効通信端末と無効通信端末とがいずれも利用された旨を認識したとき、制御対象の作動を禁止することを特徴とする作動制御装置。
【発明の詳細な説明】
【技術分野】
【０００１】
本発明は、対応する通信端末が利用されたときに作動制御装置により制御対象の作動を許可する電子キーシステムに供される作動制御装置に関する。
【背景技術】
【０００２】
近年、対応する通信端末（電子キー）が利用されたときに作動制御装置により制御対象の作動を許可する電子キーシステムが提案されている。特許文献１には、対応する電子キー（携帯機）の所持者が車外の所定領域に進入してきた場合に、作動制御装置（車両側の送受信装置）により車載ドアのアンロックを自動的に許可する電子キーシステム（車両用遠隔操作装置）が開示されている。尚、車載ドアのアンロックが許可されている状態でドアアウトサイドハンドルに触れると車載ドアがアンロックされる。
【０００３】
この種の電子キーシステムによれば、電子キーの所持者は、乗車時にメカニカルキーを用いた煩雑な操作を行う必要がない。従って、電子キーシステムは、利便性に優れる。しかも、電子キーシステムによれば、メカニカルキーと比較して複製が格段に困難な電子キーを利用しなければ、車載ドアのアンロックが許可されない。従って、電子キーシステムは、セキュリティレベルが高い。
【０００４】
このように有用な電子キーシステムは、車両のみならず建物にも応用されている。特許文献２には、対応する電子キー（携帯用送信機）の所持者が屋外の所定領域に進入してきた場合に、作動制御装置（建物側のドア自動開閉装置）により建物ドアのアンロックを自動的に許可する電子キーシステムが開示されている。尚、特許文献２の電子キーシステムは、対応する電子キーの所持者が屋外の所定領域に進入してきたとき、建物ドアのアンロックを自動的に許可することに留まらず、建物ドアを自動的にアンロックした後、建物ドアを自動的に開ける自動ドア制御システムに供されている。
【特許文献１】特開２００２−０２９３８５号公報（段落番号０００２〜０００７）
【特許文献２】特開２００３−３０７０７８号公報（段落番号０００６）
【発明の開示】
【発明が解決しようとする課題】
【０００５】
上記したように従来の電子キーシステムでも、十分に高いセキュリティレベルが確保されていたが、さらなるセキュリティレベルの向上が求められている。
本発明は、このような問題点に着目してなされたものであって、その目的は、セキュリティレベルを向上することが可能な作動制御装置を提供することにある。
【課題を解決するための手段】
【０００６】
上記の目的を達成するために、請求項１に記載の発明では、対応する通信端末である有効通信端末が利用されたときに作動制御装置により制御対象の作動を許可する電子キーシステムに供され、有効通信端末毎に個別に設定されたＩＤコードである有効ＩＤコードと同一のＩＤコードを記憶する記憶手段と、通信端末から送信されてくる信号を受信する受信手段と、前記記憶手段に記憶されているＩＤコードと一致する有効ＩＤコードを含む信号が前記受信手段により受信されたとき、有効通信端末が利用された旨を認識して制御対象の作動を許可する制御手段とを備えた作動制御装置において、前記制御手段は、複数の有効通信端末の各々がいずれも利用された旨を認識したとき、制御対象の作動を許可することを特徴とする。
【０００７】
請求項２に記載の発明では、請求項１に記載の作動制御装置において、前記制御手段は、予め定められた所定の順序に従って複数の有効通信端末の各々がいずれも利用された旨を認識したとき、制御対象の作動を許可することを特徴とする。
【０００８】
請求項３に記載の発明では、請求項１又は請求項２に記載の作動制御装置において、前記制御手段は、予め定められた所定の個数の有効通信端末の各々がいずれも利用された旨を認識したとき、制御対象の作動を許可することを特徴とする。
【０００９】
請求項４に記載の発明では、請求項１〜請求項３のいずれか１項に記載の作動制御装置において、前記制御手段は、複数の有効通信端末の１つが利用された旨を認識して以後、予め定められた所定の時間が経過するまでの期間内に残りの全ての有効通信端末がいずれも利用された旨を認識したとき、制御対象の作動を許可することを特徴とする。
【００１０】
請求項５に記載の発明では、請求項１〜請求項３のいずれか１項に記載の作動制御装置において、前記制御手段は、複数の有効通信端末の１つが利用された旨を認識して以後、予め定められた所定の時間が経過するまでの期間内に利用された有効通信端末の個数が、予め定められた所定の個数である旨を認識したときに限り、制御対象の作動を許可することを特徴とする。
【００１１】
請求項６に記載の発明では、請求項１〜請求項５のいずれか１項に記載の作動制御装置において、前記制御手段は、有効ＩＤコードとは別のＩＤコードである無効ＩＤコードを含む信号が前記受信手段により受信されたとき、有効通信端末とは別の通信端末である無効通信端末が利用された旨を認識して制御対象の作動を禁止することを特徴とする。
【００１２】
請求項７に記載の発明では、請求項６に記載の作動制御装置において、前記制御手段は、有効通信端末と無効通信端末とがいずれも利用された旨を認識したとき、制御対象の作動を禁止することを特徴とする。
【００１３】
以下、本発明の「作用」について説明する。
請求項１に記載の発明によると、複数の有効通信端末の各々がいずれも利用されたとき、制御対象の作動が許可される。つまり、単一の有効通信端末が利用されるだけでは制御対象の作動が許可されない。
【００１４】
請求項２に記載の発明によると、予め定められた所定の順序に従って複数の有効通信端末の各々がいずれも利用されたとき、制御対象の作動が許可される。ここで、該所定の順序を解析し難いものとすれば高いセキュリティレベルが得られる。一方、該所定の順序を解析し易いものとすれば優れた利便性が得られる。要するに、作動制御装置に要求されるセキュリティレベルや利便性に応じた適切な順序を所望に応じて任意に設定することが可能である。従って、柔軟に対処できる。
【００１５】
請求項３に記載の発明によると、予め定められた所定の個数の有効通信端末の各々がいずれも利用されたとき、制御対象の作動が許可される。ここで、該所定の個数を多くすれば高いセキュリティレベルが得られる。一方、該所定の個数を少なくすれば優れた利便性が得られる。要するに、作動制御装置に要求されるセキュリティレベルや利便性に応じた適切な個数を所望に応じて任意に設定することが可能である。従って、柔軟に対処できる。
【００１６】
請求項４に記載の発明によると、複数の有効通信端末の１つが利用されて以後、予め定められた所定の時間が経過するまでの期間内に残りの全ての有効通信端末がいずれも利用されたとき、制御対象の作動が許可される。ここで、該所定の時間を短いものとすれば高いセキュリティレベルが得られる。一方、該所定の時間を長いものとすれば優れた利便性が得られる。要するに、作動制御装置に要求されるセキュリティレベルや利便性に応じた適切な時間を所望に応じて任意に設定することが可能である。従って、柔軟に対処できる。
【００１７】
請求項５に記載の発明によると、該期間内に有効通信端末が所定の個数未満しか利用されない場合は勿論のこと、該期間内に有効通信端末が所定の個数を超えて利用された場合にも、制御対象の作動が許可されない。従って、セキュリティレベルを一層向上できる。
【００１８】
請求項６に記載の発明によると、無効通信端末が利用されたとき、制御対象の作動が禁止される。従って、高いセキュリティレベルを維持できる。
請求項７に記載の発明によると、たとえ有効通信端末が利用されようとも、無効通信端末もが併せて利用されたとき、制御対象の作動が禁止される。従って、セキュリティレベルを格段に向上できる。
【発明の効果】
【００１９】
本発明は、以上のように構成されているため、次のような効果を奏する。
請求項１〜請求項７のいずれか１項に記載の発明によれば、セキュリティレベルを向上することができる。
【発明を実施するための最良の形態】
【００２０】
以下、本発明を住宅の電子キーシステムに具体化した一実施形態を説明する。
図１に示すように、電子キーシステム１は、携帯機２とドアアンロック制御装置３とを備えている。携帯機２は、住宅に居住する家人によって所持されるものである。ドアアンロック制御装置３は、住宅側に設けられるものである。電子キーシステム１は、携帯機２とドアアンロック制御装置３との間で双方向通信が可能である。そして、電子キーシステム１は、対応する携帯機２が利用されたときにドアアンロック制御装置３により玄関ドアのアンロックを許可する。
【００２１】
本実施形態の電子キーシステム１は、携帯機２として携帯機２Ａ〜２Ｃが存在する。携帯機２Ａは、家人Ａ（世帯主＝大人）によって所持される。携帯機２Ｂは、家人Ｂ（家人Ａの配偶者＝大人）によって所持される。携帯機２Ｃは、家人Ｃ（１０歳の長男＝子供）によって所持される。従って、本実施形態の電子キーシステム１は、携帯機２Ａ〜２Ｃの各々とドアアンロック制御装置３との間で双方向通信が可能である。
【００２２】
尚、携帯機２Ａ〜２Ｃの各々の構成は、互いに同様である。従って、携帯機２Ａ〜２Ｃの各々の特徴点の説明を除いて、携帯機２Ａ〜２Ｃの各々の共通点の説明を携帯機２の説明で代用する。
【００２３】
携帯機２は、受信機能及び送信機能を有している。携帯機２は、受信アンテナ２１、受信回路２２、マイコン２３、送信回路２４、送信アンテナ２５を備えている。受信アンテナ２１は、ドアアンロック制御装置３から送信されてくるリクエスト信号を受信するための媒体である。受信回路２２は、受信アンテナ２１によりリクエスト信号が受信されたとき、そのリクエスト信号を復調して受信信号を生成し、その受信信号をマイコン２３に出力する。
【００２４】
マイコン２３は、図示しないＣＰＵ、ＲＯＭ、ＲＡＭ等からなるＣＰＵユニットである。マイコン２３は、不揮発性のメモリ２３ａを備えている。メモリ２３ａには、対応する携帯機２毎に個別に設定されたＩＤコード（携帯機２のＩＤコード）が記憶されている。ここで、携帯機２Ａのメモリ２３ａには、第１ＩＤコードが記憶されている。携帯機２Ｂのメモリ２３ａには、第２ＩＤコードが記憶されている。携帯機２Ｃのメモリ２３ａには、第３ＩＤコードが記憶されている。
【００２５】
マイコン２３は、受信回路２２から受信信号が入力されたとき、リクエスト信号に応答するために、携帯機２のＩＤコードを含む信号（ＩＤコード信号）を送信回路２４に出力する。送信回路２４は、マイコン２３から入力されたＩＤコード信号を所定周波数（本実施形態では３００ＭＨｚ）の電波に変調する。送信アンテナ２５は、送信回路２４により変調されたＩＤコード信号を外部に送信するための媒体である。
【００２６】
ちなみに、携帯機２Ａから送信されるＩＤコード信号は、第１ＩＤコードを含む第１ＩＤコード信号である。一方、携帯機２Ｂから送信されるＩＤコード信号は、第２ＩＤコードを含む第２ＩＤコード信号である。他方、携帯機２Ｃから送信されるＩＤコード信号は、第３ＩＤコードを含む第３ＩＤコード信号である。
【００２７】
ドアアンロック制御装置３は、送信回路３１、送信アンテナ３２、受信アンテナ３３、受信回路３４、マイコン３５を備えている。送信回路３１は、マイコン３５から入力されるリクエスト信号を所定周波数（本実施形態では１３４ＫＨｚ）の電波に変調する。送信アンテナ３２は、送信回路３１により変調されたリクエスト信号を外部に送信するための媒体である。ここで、該リクエスト信号は、玄関ドアの周辺の所定領域Ａ３２の範囲内に送信される。その結果、所定領域Ａ３２の範囲内において、携帯機２とドアアンロック制御装置３との間での双方向通信が可能となる。
【００２８】
受信アンテナ３３は、携帯機２から送信されてくるＩＤコード信号を受信するための媒体である。受信回路３４は、受信アンテナ３３によりＩＤコード信号が受信されたとき、そのＩＤコード信号を復調して受信信号を生成し、その受信信号をマイコン３５に出力する。
【００２９】
マイコン３５は、図示しないＣＰＵ、ＲＯＭ、ＲＡＭ、タイマ等からなるＣＰＵユニットである。マイコン３５は、不揮発性のメモリ３５ａを備えている。メモリ３５ａには、対応する携帯機２のＩＤコードと同一のＩＤコード（住宅側のＩＤコード）が記憶されている。本実施形態においてメモリ３５ａには、携帯機２Ａの第１ＩＤコード、携帯機２Ｂの第２ＩＤコード、携帯機２Ｃの第３ＩＤコード、の各々と同一のＩＤコード（住宅側の第１ＩＤコード、住宅側の第２ＩＤコード、住宅側の第３ＩＤコード）が記憶されている。
【００３０】
ここで、マイコン３５は、対応する携帯機２の所持者による玄関ドアに対する接近を監視するため、玄関ドアがロックされている状態において、送信回路３１にリクエスト信号を出力する。マイコン３５は、リクエスト信号を出力したことに基づいて、受信回路３４から受信信号が入力されたとき、その受信信号に含まれているＩＤコードと住宅側の各ＩＤコードのいずれかとが一致しているか否かを判断する。つまり、この場合、マイコン３５は、ＩＤコード照合を実行する。
【００３１】
マイコン３５には、ドア制御ユニット３６が電気的に接続されている。マイコン３５は、ＩＤコード照合により両ＩＤコードが一致したとき、ドア制御ユニット３６にドアアンロック許可信号を出力する。
【００３２】
ドア制御ユニット３６は、玄関ドアを自動的にアンロックするとともに、玄関ドアを自動的に開けるためのものである。ドア制御ユニット３６は、マイコン３５からドアアンロック許可信号が入力されたとき、ドアアンロック用のアクチュエータを駆動して玄関ドアを自動的にアンロックする。その後、ドア制御ユニット３６は、ドア開閉用のアクチュエータを駆動して玄関ドアを自動的に開ける。
【００３３】
このように本実施形態の電子キーシステム１は、対応する携帯機２Ａ〜２Ｃの少なくとも１つが利用されたときにドアアンロック制御装置３により玄関ドアのアンロックを許可する。要するに、電子キーシステム１は、対応する携帯機２Ａ〜２Ｃのいずれか１つが単独で利用されたときでも、ドアアンロック制御装置３により玄関ドアのアンロックを許可する。
【００３４】
次に、電子キーシステム１の特徴点について説明する。
図１に示すように、電子キーシステム１は、扉アンロック制御装置４をさらに備えている。扉アンロック制御装置４は、住宅の家人が所有する金庫側に設けられるものである。言うまでもなく、金庫は、貴重品を保管しておくためのものである。電子キーシステム１は、携帯機２と扉アンロック制御装置４との間で双方向通信が可能である。要するに、電子キーシステム１は、ドアアンロック制御装置３との間での双方向通信に供される携帯機２が、扉アンロック制御装置４との間での双方向通信にも供される。そして、電子キーシステム１は、対応する携帯機２が利用されたときに扉アンロック制御装置４により金庫の扉のアンロックを許可する。
【００３５】
ここで、本実施形態の電子キーシステム１は、複数の携帯機２の各々がいずれも利用されたときに扉アンロック制御装置４により金庫の扉のアンロックを許可する。詳しくは、電子キーシステム１は、携帯機２Ａ，２Ｂの各々がいずれも利用されたときに扉アンロック制御装置４により金庫の扉のアンロックを許可する。具体的には、電子キーシステム１は、携帯機２Ｂが利用されて以後、予め定められた所定の時間が経過するまでの期間内に携帯機２Ａが利用されたときに扉アンロック制御装置４により金庫の扉のアンロックを許可する。換言すれば、電子キーシステム１は、複数の有効通信端末の１つが利用されて以後、予め定められた所定の時間が経過するまでの期間内に残りの全ての有効通信端末が利用されたときに扉アンロック制御装置４により金庫の扉のアンロックを許可する。
【００３６】
ただし、電子キーシステム１は、携帯機２Ｂが利用されて以後、該期間内において携帯機２Ａが利用されるのに先立って携帯機２Ｃが利用されたときには、扉アンロック制御装置４により金庫の扉のアンロックを禁止する。換言すれば、電子キーシステム１は、有効通信端末と無効通信端末とがいずれも利用されたときには、金庫の扉のアンロックを禁止する。
【００３７】
このように本実施形態において携帯機２Ａ，２Ｂの各々は、対応する通信端末である有効通信端末に相当する。一方、携帯機２Ｃは、有効通信端末とは別の通信端末である無効通信端末に相当する。
【００３８】
さて、扉アンロック制御装置４は、送信回路４１、送信アンテナ４２、受信アンテナ４３、受信回路４４、マイコン４５を備えている。送信回路４１は、マイコン４５から入力されるリクエスト信号を所定周波数（本実施形態では１３４ＫＨｚ）の電波に変調する。送信アンテナ４２は、送信回路４１により変調されたリクエスト信号を外部に送信するための媒体である。ここで、該リクエスト信号は、金庫の周辺の所定領域Ａ４２の範囲内に送信される。その結果、所定領域Ａ４２の範囲内において、携帯機２と扉アンロック制御装置４との間での双方向通信が可能となる。
【００３９】
受信アンテナ４３は、携帯機２から送信されてくるＩＤコード信号を受信するための媒体である。受信回路４４は、受信アンテナ４３によりＩＤコード信号が受信されたとき、そのＩＤコード信号を復調して受信信号を生成し、その受信信号をマイコン４５に出力する。
【００４０】
マイコン４５は、図示しないＣＰＵ、ＲＯＭ、ＲＡＭ、タイマ等からなるＣＰＵユニットである。マイコン４５は、不揮発性のメモリ４５ａを備えている。メモリ４５ａには、携帯機２のＩＤコードと同一のＩＤコード（金庫側のＩＤコード）が記憶されている。本実施形態においてメモリ４５ａには、携帯機２Ａの第１ＩＤコード（有効ＩＤコード）、携帯機２Ｂの第２ＩＤコード（有効ＩＤコード）、携帯機２Ｃの第３ＩＤコード（無効ＩＤコード）、の各々と同一のＩＤコード（金庫側の第１ＩＤコード、金庫側の第２ＩＤコード、金庫側の第３ＩＤコード）が記憶されている。
【００４１】
ここで、マイコン４５は、金庫の扉をアンロックするのに際して最初に利用されるべき携帯機２Ｂの所持者による金庫に対する接近を監視するため、金庫の扉がロックされている状態において、送信回路４１にリクエスト信号を出力する。マイコン４５は、リクエスト信号を出力したことに基づいて、受信回路４４から受信信号が入力されたとき、その受信信号に含まれているＩＤコードと金庫側の第２ＩＤコードとが一致しているか否かを判断する。マイコン４５は、両ＩＤコードが一致したとき、携帯機２Ｂが利用された旨を認識する。
【００４２】
加えて、マイコン４５は、リクエスト信号を出力したことに基づいて、受信回路４４から受信信号が入力されたとき、その受信信号に含まれているＩＤコードと金庫側の第１ＩＤコードとが一致しているか否かを判断する。マイコン４５は、両ＩＤコードが一致したとき、携帯機２Ａが利用された旨を認識する。
【００４３】
マイコン４５には、扉制御ユニット４６が電気的に接続されている。マイコン４５は、携帯機２Ｂが利用された旨を認識して以後、予め定められた所定の時間が経過するまでの期間内に携帯機２Ａが利用された旨を認識したとき、扉制御ユニット４６に扉アンロック許可信号を出力する。
【００４４】
扉制御ユニット４６は、金庫の扉を自動的にアンロックするとともに、金庫の扉を自動的に開けるためのものである。扉制御ユニット４６は、マイコン４５から扉アンロック許可信号が入力されたとき、扉アンロック用のアクチュエータを駆動して金庫の扉を自動的にアンロックする。その後、扉制御ユニット４６は、扉開閉用のアクチュエータを駆動して金庫の扉を自動的に開ける。
【００４５】
このように本実施形態の電子キーシステム１は、予め定められた所定の順序に従って携帯機２Ｂ，２Ａの各々がいずれも利用されたときに扉アンロック制御装置４により金庫の扉のアンロックを許可する。
【００４６】
次に、図２に示すフローチャートを参照しながら、扉アンロック制御装置４のマイコン４５による金庫の扉のアンロック制御について説明する。
さて、マイコン４５は、送信回路４１にリクエスト信号を出力したことに基づいて、受信回路４４から受信信号が入力されたとき、その受信信号に含まれているＩＤコードと金庫側の第２ＩＤコードとが一致しているか否かを判断する（ステップＳ１）。マイコン４５は、ステップＳ１において、両ＩＤコードが一致したとき、ステップＳ２に移行する。マイコン４５は、ステップＳ２において、携帯機２Ｂが利用された旨を認識する。
【００４７】
マイコン４５は、携帯機２Ｂが利用された旨を認識して以後（ステップＳ２）、予め定められた所定の時間が経過するまでの期間内に（ステップＳ３においてＮＯ）、携帯機２Ｃが利用されることなく（ステップＳ４においてＮＯ）、携帯機２Ａが利用された旨を認識したとき（ステップＳ６）、ステップＳ７に移行する。つまり、マイコン４５は、該期間内に受信回路４４から入力された受信信号に、金庫側の第１ＩＤコードと一致するＩＤコードが含まれているとき（ステップＳ５においてＹＥＳ）、携帯機２Ａが利用された旨を認識して（ステップＳ６）、ステップＳ７に移行する。
【００４８】
マイコン４５は、ステップＳ７において、扉制御ユニット４６に扉アンロック許可信号を出力する。その結果、扉制御ユニット４６により、金庫の扉が自動的にアンロックされるとともに、金庫の扉が自動的に開けられる。
【００４９】
ところで、マイコン４５は、携帯機２Ｂが利用された旨を認識して以後（ステップＳ２）、予め定められた所定の時間が経過するまでの期間内に（ステップＳ３においてＮＯ）、金庫側の第３ＩＤコードと一致するＩＤコードを含む受信信号が受信回路４４から入力されたとき（ステップＳ４においてＹＥＳ）、ステップＳ８に移行する。マイコン４５は、ステップＳ８において、携帯機２Ｃが利用された旨を認識して、ステップＳ９に移行する。
【００５０】
マイコン４５は、ステップＳ９において、金庫の扉のアンロックを禁止する。つまり、マイコン４５は、扉制御ユニット４６に扉アンロック許可信号を出力しない。その結果、金庫の扉がロックされたまま維持される。
【００５１】
ちなみに、マイコン４５は、携帯機２Ｂが利用された旨を認識して以後（ステップＳ２）、携帯機２Ｃが利用されることなく（ステップＳ４においてＮＯ）、また携帯機２Ａも利用されることなく（ステップＳ５においてＮＯ）、予め定められた所定の時間が経過したときにも（ステップＳ３においてＹＥＳ）、ステップＳ９に移行する。
【００５２】
以上、詳述したように本実施形態によれば、次のような作用、効果を得ることができる。
（１）複数の有効通信端末（携帯機２Ｂ，２Ａ）の各々がいずれも利用されたとき、金庫の扉のアンロックが許可される。つまり、単一の有効通信端末（携帯機２Ｂのみ、又は携帯機２Ａのみ）が利用されるだけでは金庫の扉のアンロックが許可されない。従って、セキュリティレベルを向上することができる。
【００５３】
（２）予め定められた所定の順序に従って複数の有効通信端末（携帯機２Ｂ，２Ａ）の各々がいずれも利用されたとき、金庫の扉のアンロックが許可される。ここで、該所定の順序を解析し難いものとすれば高いセキュリティレベルが得られる。一方、該所定の順序を解析し易いものとすれば優れた利便性が得られる。要するに、扉アンロック制御装置４に要求されるセキュリティレベルや利便性に応じた適切な順序を所望に応じて任意に設定することが可能である。従って、柔軟に対処できる。
【００５４】
（３）上記（２）に関連して、本実施形態において金庫の扉を開けたい場合、世帯主である家人Ａによって所持される携帯機２Ａよりも先に、配偶者である家人Ｂによって所持される携帯機２Ｂを利用する必要がある。ここで、金庫のような家庭にとって大切とも言える制御対象の作動を許可する場合、家庭の中で最も権限のある世帯主（家人Ａ）によって所持される携帯機２Ａを真っ先に利用することが一般的に行われるものと考えられる。しかし、それに倣って携帯機２Ａ、携帯機２Ｂの順に利用すれば金庫の扉のアンロックが許可される構成を採用した場合、その構成は第三者が容易に思い付く構成となって、第三者によって比較的容易に金庫の扉を開けられてしまう可能性が高くなる。要するに、本実施形態では、第三者が容易に思い付かない構成（解析し難い順序を有する構成）を採用することによって、高いセキュリティレベルを得ることができる。
【００５５】
（４）複数の有効通信端末の１つ（携帯機２Ｂ）が利用されて以後、予め定められた所定の時間が経過するまでの期間内に残りの全ての有効通信端末（携帯機２Ａ）が利用されたとき、金庫の扉のアンロックが許可される。ここで、該所定の時間を短いものとすれば高いセキュリティレベルが得られる。一方、該所定の時間を長いものとすれば優れた利便性が得られる。要するに、扉アンロック制御装置４に要求されるセキュリティレベルや利便性に応じた適切な時間を所望に応じて任意に設定することが可能である。従って、柔軟に対処できる。
【００５６】
（５）無効通信端末（携帯機２Ｃ）が利用されたとき、金庫の扉のアンロックが禁止される。従って、高いセキュリティレベルを維持できる。
（６）上記（５）に関連して、金庫のような家庭にとって大切とも言える制御対象は、家人Ａや家人Ｂ等の大人によって厳重に管理することが好ましい。ここに、本実施形態では、子供である家人Ｃによって所持される携帯機２Ｃが単独で利用されようとも、金庫の扉のアンロックは許可されない。要するに、居住を共にする子供とはいえ、金庫を容易に開けることはできない。従って、高いセキュリティレベルを維持できる。
【００５７】
（７）上記（５）や（６）に関連して、家人Ｃは子供であることから、家人Ａや家人Ｂ等の大人と比較して、携帯機２Ｃを紛失する可能性が高い。しかし、第三者が何らかの理由で携帯機２Ｃを入手して該携帯機２Ｃを単独で利用しようとも、金庫の扉のアンロックは許可されない。従って、高いセキュリティレベルを維持できる。
【００５８】
（８）たとえ有効通信端末（携帯機２Ｂ）が利用されようとも、無効通信端末（携帯機２Ｃ）もが併せて利用されたとき、金庫の扉のアンロックが禁止される。従って、セキュリティレベルを格段に向上できる。
【００５９】
尚、前記実施形態は、次のように変更して具体化することも可能である。
・予め定められた所定の順序に従って複数の有効通信端末の各々がいずれも利用されたときに金庫の扉のアンロックを許可する構成に代えて又は加えて、予め定められた所定の個数の有効通信端末の各々がいずれも利用されたときに金庫の扉のアンロックを許可する構成を採用してもよい。このように構成すれば、予め定められた所定の個数の有効通信端末の各々がいずれも利用されたとき、金庫の扉のアンロックが許可される。ここで、該所定の個数を多くすれば高いセキュリティレベルが得られる。一方、該所定の個数を少なくすれば優れた利便性が得られる。要するに、扉アンロック制御装置４に要求されるセキュリティレベルや利便性に応じた適切な個数を所望に応じて任意に設定することが可能である。従って、柔軟に対処できる。
【００６０】
例えば、有効通信端末として５個の携帯機２（便宜上、携帯機２Ａ〜２Ｅ）が存在する構成において、予め定められた所定の個数が３個である場合を想定する。この場合において、携帯機２が利用される順序を考慮しないとき、５個の携帯機２のうち任意の３個の携帯機２（例えば、携帯機２Ａ，２Ｃ，２Ｄ）が順不問で利用されたときに金庫の扉のアンロックを許可する。
【００６１】
或いは、５個の携帯機２のうち所定の個数（例えば、１個）の携帯機２（例えば、携帯機２Ａ）が利用されることを必須とし、利用されるべき残りの２個の携帯機２に関して、４個の携帯機２（携帯機２Ｂ〜２Ｅ）のうち任意の２個の携帯機２（例えば、携帯機２Ｃ，２Ｄ）が利用されたときに金庫の扉のアンロックを許可する。
【００６２】
・複数の有効通信端末の１つが利用されて以後、予め定められた所定の時間が経過するまでの期間内に利用された有効通信端末の個数が、予め定められた所定の個数であるときに限り、金庫の扉のアンロックを許可する構成を採用してもよい。このように構成すれば、該期間内に有効通信端末が所定の個数未満しか利用されない場合は勿論のこと、該期間内に有効通信端末が所定の個数を超えて利用された場合にも、金庫の扉のアンロックが許可されない。従って、セキュリティレベルを一層向上できる。
【００６３】
この場合、マイコン４５は、複数の有効通信端末の１つが利用されて以後、予め定められた所定の時間が経過するまでの期間に亘って時間をカウントする。また、マイコン４５は、該期間内に利用された有効通信端末の個数をカウントする。そして、マイコン４５は、該カウントした個数が、予め定められた所定の個数であるときに限り、扉制御ユニット４６に扉アンロック許可信号を出力する。
【図面の簡単な説明】
【００６４】
【図１】電子キーシステムの構成を示すブロック図。
【図２】扉アンロック制御装置のマイコンによる金庫の扉のアンロック制御を説明するためのフローチャート。
【符号の説明】
【００６５】
１…電子キーシステム、２（２Ａ，２Ｂ，２Ｃ）…携帯機（通信端末）、２Ａ，２Ｂ…携帯機（有効通信端末）、２Ｃ…携帯機（無効通信端末）、４…扉アンロック制御装置（作動制御装置）、４３…受信アンテナ（受信手段）、４４…受信回路（受信手段）、４５…マイコン（制御手段）、４５ａ…メモリ（記憶手段）。
【図１】
2006233659.tif 000003
【図２】
2006233659.tif 000004